(57)【要約】【課題】取付け精度や取付け作業性の向上を図りながら、蛍光灯管の近くに始動コンデンサーを配備することができる自動販売機のサンプル台構造を提供する点にある。【解決手段】蛍光灯管１１の両端子部１１ａが接続支持される両蛍光灯ソケット支持部２０と、両蛍光灯ソケット支持部間に取付けられているとともに、商品サンプルＫが着脱自在に設けられたサンプル台Ｊを備えた構成において、前記両蛍光灯ソケット支持部２０の少なくとも何れか一方には、保持手段Ｈを介して蛍光灯管１１の始動コンデンサー７０を収納保持することが可能な格納部８０が形成されている。【選択図】        図９
2004152142.tif 000002
【特許請求の範囲】
【請求項１】
蛍光灯管の両端子部が接続支持される両蛍光灯ソケット支持部と、両蛍光灯ソケット支持部間に取付けられているとともに、商品サンプルが着脱自在に設けられたサンプル台を備えた自動販売機のサンプル台構造であって、
前記両蛍光灯ソケット支持部の少なくとも何れか一方には、保持手段を介して蛍光灯管の始動コンデンサーを収納保持することが可能な格納部が形成されている自動販売機のサンプル台構造。
【請求項２】
前記保持手段が、格納部に収納された始動コンデンサーから導出し且つ電線自体の弾性復元力に抗して湾曲した電線湾曲部分と、この電線湾曲部分を係止可能な電線支持部とから構成されている請求項１記載の自動販売機のサンプル台構造。
【請求項３】
前記保持手段が、収納奥部へ向かうほど幅狭となり、始動コンデンサーの差込先端部を挟持可能な楔状に対向するテーパー面から構成されている請求項１記載の自動販売機のサンプル台構造。
【請求項４】
前記格納部が、蛍光灯ソケット支持部を形成している形成部材を利用して構成されている請求項１、２又は３記載の自動販売機のサンプル台構造。
【発明の詳細な説明】
【０００１】
【発明の属する技術分野】
本発明は、始動コンデンサーを内蔵する自動販売機のサンプル台構造に関する。
【０００２】
【従来の技術】
一般に、缶入り飲料、壜入り飲料、ペットボトル入り飲料等の商品を販売する自動販売機においては、昼夜に関係なく前面扉の正面に設けられたサンプル台に載せられた多数の商品サンプルの中から所望の商品を購入することができることはよく知られている。
このようなサンプル台を形成するサンプル台構造には、サンプル台上の商品サンプルを照射するための蛍光灯管からなる照明が設けられており、夜間における商品購入の選択を可能になっている。
【０００３】
近時、自動販売機の照明においても、インバーター蛍光灯が採用されるに至っている。
この種のインバーター蛍光灯の場合、電線容量による共振点の変化を小さくするために、蛍光灯管１１０に対して配線７１０の長さを極力短くして始動コンデンサー７００を接続する状態、つまり、始動コンデンサー７００を蛍光灯管１１０の近くに配備する状態にしなければ、良好な点灯特性が得られないことがわかっており、従来においては、図１３，図１４に示すように、蛍光灯管１１０の直下でサンプル台ＪＪや、商品サンプルＫに対応するように選択ボタンスイッチＳが配列されたスイッチ台ＳＡによって隠れたサンプルケースのケース背板６００部分に、巻き止めクランプ１００を介して始動コンデンサー７００が巻き止められている。詳述すると、巻き止めクランプ１００は、基端部に係止孔１００ａが形成され、帯状中間部１００ｂを介して先端部に係止ピン１００ｂを一体形成したもので、始動コンデンサー７００から導出する電線７１０，７１０を帯状中間部１００ｂを介して巻き込み、先端部に係止ピン１００ｂを基端部の係止孔１００ａに係入することによって、電線７１０，７１０部分をケース背板６００に始動コンデンサー７００を取付けることができるようになっている。
【０００４】
【発明が解決しようとする課題】
ところが、このような取付け構造は、始動コンデンサー７００の電線部分７１０，７１０を、クランプ１００で巻き止める構造であるため、クランプ１００に対して始動コンデンサー７００が片持の取付け状態となり、取付け具合によっては、運搬途上での振動等によって、クランプ１００から電線７１０，７１０がずれて、正規の片持状態が崩れて始動コンデンサー７００が垂れ下がり状態になり、その結果、始動コンデンサー７００の一部がスイッチ台ＳＡより下方にはみ出て，正面から始動コンデンサー７００が見えてサンプル商品Ｋの景観を損なうような不体裁な状態になることから、製造時に始動コンデンサー７００が垂れ下がるようなことがないように、気をつけながら取付ける必要性があり、取付け精度や取付け作業性が悪い問題がある。
【０００５】
本発明は、上述の実状に鑑みて為されたものであって、その主たる課題は、取付け精度や取付け作業性の向上を図りながら、蛍光灯管の近くに始動コンデンサーを配備することができる自動販売機のサンプル台構造を提供する点にある。
【０００６】
【課題を解決するための手段】
本発明の請求項１による自動販売機のサンプル台構造の特徴構成は、蛍光灯管の両端子部が接続支持される両蛍光灯ソケット支持部と、両蛍光灯ソケット支持部間に取付けられているとともに、商品サンプルが着脱自在に設けられたサンプル台を備えた構成において、前記両蛍光灯ソケット支持部の少なくとも何れか一方には、保持手段を介して蛍光灯管の始動コンデンサーを収納保持することが可能な格納部が形成されている点にある。
【０００７】
［作用］
上記特徴構成によれば、蛍光灯ソケット支持部に始動コンデンサーを内蔵することができる。
【０００８】
［効果］
従って、蛍光灯管の近くに始動コンデンサーを配備しながら、保持手段を介して始動コンデンサーを格納部に収納保持することができるので、勝手に格納部から始動コンデンサーが外部にはみ出るようことがなく、従来の取付け構造のように、はみ出し状態にならないように気を使って実施されている取付け作業を解消することができ、始動コンデンサーの取付け精度の向上を図ることができるとともに、作業性の向上、並びに、製作性の向上を図ることができる。
【０００９】
本発明の請求項２による自動販売機のサンプル台構造の特徴構成は、前記保持手段が、格納部に収納された始動コンデンサーから導出し且つ電線自体の弾性復元力に抗して湾曲した電線湾曲部分と、この電線湾曲部分を係止可能な電線支持部とから構成されている点にある。
【００１０】
［作用］
上記特徴構成によれば、格納部に始動コンデンサーを収納し、この始動コンデンサーから導出する電線部分を湾曲して、この電線湾曲部分を電線支持孔に係止して、湾曲電線部分の弾性復帰力が始動コンデンサーに作用させることによって、格納部に始動コンデンサーを収納保持することができる。
【００１１】
［効果］
従って、簡単な取付け構造によって、始動コンデンサーを格納部に取付けることができるので、取付け作業が簡単であるとともに、収納保持状態で湾曲電線部分の弾性復元力が常に始動コンデンサーに作用するので、不測の外力を受けた場合であっても、格納部から始動コンデンサーが勝手に離脱してしまうようなことがないので、取付け精度の高いサンプル台構造を形成することができる。
【００１２】
本発明の請求項３による自動販売機のサンプル台構造の特徴構成は、前記保持手段が、収納奥部へ向かうほど幅狭となり、始動コンデンサーの差込先端部を挟持可能な楔状に対向するテーパー面から構成されている点にある。
【００１３】
［作用］
上記特徴構成によれば、格納部の奥部に始動コンデンサーを押し込むことによって、始動コンデンサーの収納先端部が対向するテーパー面間に挟持される。
【００１４】
［効果］
従って、始動コンデンサーを格納部に、簡単且つ確実に保持させることができるので、取付け作業の向上を図ることができる。
【００１５】
本発明の請求項４による自動販売機のサンプル台構造の特徴構成は、前記格納部が、蛍光灯ソケット支持部を形成している形成部材を利用して構成されている点にある。
【００１６】
［作用］
上記特徴構成によれば、蛍光灯管ソケット支持部の形成部材を格納部に兼用利用することができる。
【００１７】
［効果］
従来のように，始動コンデンサーを取付けるための部品であるクランプ，クランプをサンプルケースに取付ける作業が必要である構造のものに比べて、部品点数の削減化、取付け作業の軽減化、製作コストの低減化を図ることができる。
【００１８】
【発明の実施の形態】
〔実施形態〕
以下、本発明の自動販売機のサンプル台構造を適用した一実施形態を図面に基づいて説明する。
この実施形態では、図１に示すように、例えば、缶入り飲料、壜入り飲料、ペットボトル飲料等の商品を販売する自動販売機Ａに本発明を適用したものであり、この自動販売機Ａを概略すれば、例えば、外箱Ｅ内に、断熱構造の間仕切りされた内箱Ｆ構造を採用して、多種多数の商品Ｇ・・・が商品収納ラックＨ・・・を介して在庫することが可能で、図示しないが、個別に冷却装置によって冷却された商品を冷却保温、及び、加熱装置によって加熱された商品を加熱保温することが可能になっている。この自動販売機本体Ｂは、外箱Ｅに対して開閉自在な前面扉Ｃと、内箱Ｆに対して開閉自在な断熱中扉（図示せず）を備え、前面扉Ｃに配備された紙幣用又は硬貨用の金銭投入装置Ｉ１，Ｉ２に入金し、同じく前面扉Ｃに配備された商品陳列部１のサンプル台Ｊ・・・に見本された商品サンプルＫの中から選択ボタンスイッチＳで選ばれた商品Ｇが、機内に収容された商品収納ラックＨから商品払出し装置Ｌを介して払出し落下され、シュートＭを経由して前面扉Ｃの商品取出し口Ｃ１に払い出されることによって、冷却保温、又は、加熱保温された商品Ｇを購入することが可能になっている。
【００１９】
前記商品陳列部１は、図１、図２に示すように、前面扉Ｃの上半分部分にアクリル等の透明合成樹脂から形成されたショーウインド２の内側に、左右ケース側板３，４、ケース天板５，ケース背板６からなるサンプルケースに対して、上下３段にサンプル台Ｊ…が配備されているサンプル台取付け部であるところのケース背板６を開閉自在（図示せず）に構成するとともに、最上段のサンプル台Ｊは直上に配設された蛍光灯管１０によって照明が当てられ、中段や最下段のサンプル台Ｊは直上のサンプル台Ｊの下面開口内に配備された蛍光灯管１１によって照明が当てられるようになっている。ショーウインド２には、各階層のサンプル台Ｊの下端縁部に対応して、商品サンプルＫに対応するように選択ボタンスイッチＳが配列されたスイッチ台ＳＡが取付けられており、各サンプル台Ｊ・・・がショーウインド２を透して見えるレイアウトになっている。
【００２０】
この実施形態において各階層のサンプル台Ｊは、図３〜図５に示すように、左、右の蛍光灯ソケット支持部２０，２０間に、ソケット１３を介して蛍光灯管１１の両端子部１１ａ，１１ａが取付け可能になっているとともに、上面部に長手方向に沿って複数（この実施形態では１０個）の商品サンプルＫ…を着脱自在に取付け可能にした商品サンプル取付け部４０が形成されている。
【００２１】
サンプル台Ｊは、長手方向の２等分位置において接着剤を介して一対の同形態同寸法のサンプル台ユニットＪａ，Ｊａが一体連結されて構成され、各サンプル台ユニットＪａの両端部には、夫々に倣い溝４２、係合凹部４３、支点溝４４が形成され、上面部分には長手方向に沿って等間隔５箇所にサンプル台Ｊの受け座３０Ａが形成され、前面と上面とに跨る部分には、長手方向に沿って等間隔５箇所にディスプレープレート５０を脱着自在に装着するプレート装着部６０が形成されている。図３には、サンプル台Ｊをサンプル台ユニットＪａ，Ｊａに分解した状態で図示してある。
【００２２】
前記左右の蛍光灯ソケット支持部２０，２０と、サンプル台Ｊとによって、この実施形態のサンプル台構造ＪＡが形成されている。
【００２３】
図３に示すように、サンプル台Ｊの長手方向両端部の連結側板４１，４１には、対応する蛍光灯ソケット支持部２０，２０の前部側に形成された係止ピン２１に当接した状態でのサンプル台の後方移動により、サンプル台Ｊを正規装着位置に案内可能にする倣い溝４２と、蛍光灯ソケット支持部２０の奥部側に形成された係止片２２にサンプル台Ｊの後端部を当接した状態での倣い溝４２によるサンプル台Ｊの後方移動により、蛍光灯ソケット支持部２０の係止片２２を係合する係合凹部４３と、サンプル台Ｊを正規装着位置より手前の引出し位置において蛍光灯ソケット支持部２０の係止ピン２１が係入する支点溝４４と、この支点溝４４に係入する係止ピン２１を支点としてサンプル台Ｊを前下がりの傾斜姿勢に回動させたとき、サンプル台Ｊとの接当によって最大前傾角度を規制するストッパー２３とが形成されている。
【００２４】
従って、図６，図７に示すように、蛍光灯ソケット支持部２０の係止ピン２１にサンプル台Ｊの倣い溝４２を載せるとともに、蛍光灯ソケット支持部２０の係止片２２にサンプル台Ｊの後端部を載せた状態で、蛍光灯ソケット支持部２０に対してサンプル台Ｊを正規装着位置に移動することによって、サンプル台Ｊの係合凹部４３と蛍光灯ソケット支持部２０の係止片２２とが係合することによって、左右の蛍光灯ソケット支持部２０、２０間にサンプル台Ｊを取付けることができ、反対に、サンプル台Ｊを正規装着位置から手前に引き出し移動して、両蛍光灯ソケット支持部２０、２０間からサンプル台Ｊを取り外すことができる。
【００２５】
また、図８に示すように、蛍光灯ソケット支持部２０とサンプル台Ｊとが分離した状態で、蛍光灯ソケット支持部２０の係止ピン２１をサンプル台Ｊの支点溝４４に係入し、この状態で係止ピン２１を支点としてサンプル台Ｊを前下がりの最大前傾角度まで傾斜姿勢に回動してサンプル台Ｊをストッパー２３に規制させることによって、両蛍光灯ソケット支持部２０、２０間を開放することができ、蛍光灯管１１に溜まったほこりや、侵入した虫等の清掃がしやすくなっている。
【００２６】
前記蛍光灯管１１は、インバーター回路９０を介して点灯回数を、電源周波数よりも増大させて点灯させるようになっている。
【００２７】
前記蛍光灯管ソケット支持部２０は、図３，図９に示すように，前面壁２０ｃ、天井壁２０ｄ、内、外側壁２０ｅ，２０ｆ，背壁２０ｇ、及び、外側壁２０ｆと近接対向する内部補強隔壁２０ｈとから下面が開口する箱状に形成され、対向する外側壁２０ｆと内部補強隔壁２０ｈと、これら壁間に対応する，前面壁部分、天井壁部分、背壁部分によって囲まれた部分から、保持手段Ｈを介して始動コンデンサー７０を収納保持することが可能な格納部８０が形成されている。内部補強隔壁２０ｈには、蛍光灯管１１の端子部１１ａを受止め可能なソケット１３が取付け可能となった取付け孔２０Ａが形成されているとともに、迂回路状に切欠した電線支持部である電線支持孔２０ｉが形成されている。前記格納部８０は、蛍光灯ソケット支持部２０を形成している形成部材を利用して構成されている
【００２８】
この実施形態のサンプル構造においては、一方の蛍光灯ソケット支持部（図面上では左側の蛍光灯ソケット支持部）２０の格納部８０に始動コンデンサー７０が収納されている。具体的には、図９，図１０に示すように、一方の蛍光灯ソケット支持部２０の格納部８０に、始動コンデンサー７０の先端部を挿入して、基端部から導出する一対の電線７１，７１部分を湾曲した電線湾曲部分７１ａ，７１ａを、この電線湾曲部分７１ａ，７１ａの弾性復元力が格納部８０の始動コンデンサー７０に作用するように電線支持孔２０ｉに係止することによって、始動コンデンサー７０を格納部８０に内蔵することができる。格納部８０に収納された始動コンデンサー７０の電線湾曲部分７１ａ，７１ａと、この電線湾曲部分７１ａ，７１ａを係止する電線支持孔２０ｉとから保持手段Ｈが構成されている。図１０においては、長方立方形状の始動コンデンサー７０の長手方向を上下にした状態で格納部８０に挿入し、側方に導出する上下の電線７１，７１を電線支持孔２０ｉに係止する状態で、蛍光灯ソケット支持部２０に始動コンデンサー７０を内蔵するものを図示したが、例えば、図１１に示すように、長手方向を水平にした状態で始動コンデンサー７０を格納部８０に挿入し、下方に導出する左右の電線７１，７１を電線支持孔２０ｉに係止する状態で、蛍光灯ソケット支持部２０に始動コンデンサー７０を内蔵するものであってもよい。
【００２９】
始動コンデンサー７０は、当該始動コンデンサー７０から導出する一対の電線７１，７１の一方を、右方にソケット１３に接続し、他方を蛍光灯管１１に沿わせて他方のソケット１３に接続している。
【００３０】
蛍光灯ソケット支持部２０，２０の背後面には、半球状の小突起２０ｂが形成され、これに対応する小孔６ｂがケース背板６に形成され、ケース背板６に蛍光灯ソケット支持部２０を取付けた状態で、小突起２０ｂが小孔６ｂに係入して、ケース背板６に対して蛍光灯ソケット支持部２０を位置決め保持状態にして、左右の蛍光灯ソケット支持部２０，２０間にサンプル台Ｊを取付けることができるようになっている。
【００３１】
前記サンプル台Ｊの前部には、商品サンプルＫに対応する値段表示や冷熱表示が標記されたディスプレープレート５０を脱着自在に装着するプレート装着部６０が形成されているとともに、前記ディスプレープレート５０が透光性を有するアクリル等の合成樹脂薄板によって構成されている。プレート装着部６０は、上面と前面とがなすアール状のコ−ナ部分から前面部分に亘って、上面側の入口６０Ａから商品サンプルＪに対応するディスプレープレート５０を抜差し自在な横倒しコ字状の取付け溝６０Ｂから構成されている。
【００３２】
前記商品サンプルＫは、商品サンプル表示を印刷した薄肉透光性のフイルムやＰＥＴ容器をホルダーに取付けて商品形態に形成された本体部Ｋ１を備え、サンプル台Ｊの受け座３０Ａに対して，本体部Ｋ１下部に形成された取付け座Ｋ２を着脱自在に形成され、並列された受け座３０Ａ・・・を設けたサンプル台Ｊの上面部分が商品サンプル取付け部４０を構成している。
【００３３】
このような構成のサンプル台構造ＪＡによれば、始動コンデンサー７０を蛍光灯管１１の端子部１１ａを接続する蛍光灯ソケット支持部２０といった蛍光灯管１１に近接する箇所に、始動コンデンサー７０を配備することができるので、点灯特性が良好な配線を形成することができる。
【００３４】
また、この実施形態における格納部８０は、サンプル台構造ＪＡの最も右端に形成され、サンプルケースの右ケース側板４に近い位置にあるとともに、蛍光灯管１１による照射の必要性が低い部分に位置しているので、最も目立たない位置に始動コンデンサー７０を配備することができるので、ディスプレイ性に重点を置いた商品陳列部１を形成することができる。
【００３５】
〔その他の実施形態〕
（１）  上記実施形態においては、始動コンデンサー７０に接続された電線７１，７１を湾曲した弾性反力を利用して、格納部８０に始動コンデンサー７０を収納保持するものについて説明したが、本発明はこれに限らず、図１２に示すように、格納部８０自体を、収納奥部へ向かう程、幅狭な楔状に対向するテーパー面８１，８１を形成して、始動コンデンサー７０の挿入先端部が挟持される保持手段Ｈを構成するものであってもよい。
【００３６】
この場合、図１２に示すように、上記第１実施形態と同様に、始動コンデンサー７０の湾曲された電線湾曲部分７１ａ，７１ａを電線支持孔２０ｉに係止して、電線湾曲部分７１ａ，７１ａとこの部分を係止する電線支持孔２０ｈとから構成される保持手段Ｈと、楔状のテーパー面８１，８１から構成される保持手段Ｈとの双方が作用する保持手段Ｈを構成するものであってもよい。
【００３７】
また、図示しないが、始動コンデンサー７０から導出された電線部分７１ａ，７１ａを，内部補強用隔壁２０ｇに形成された挿通孔に、唯単に挿通するだけの構成にして、格納部８０に対する始動コンデンサー７０の収納保持は楔状のテーパー面８１，８１によるものであってもよい。
【００３８】
（２）  上記実施形態においては、図面上で右側の蛍光灯ソケット支持部２０の格納部８０に、始動コンデンサー７０を収納保持する例を説明したが、本発明はこれに限らず、左側の蛍光灯ソケット支持部２０の格納部８０に始動コンデンサー７０を収納保持してもよい。
【図面の簡単な説明】
【図１】自動販売機の全体外観を一部も模式表現で示す斜視図
【図２】自動販売機の商品陳列部を示す正面図
【図３】サンプル台構造を示す分解斜視図
【図４】サンプル台構造を示す斜視図
【図５】サンプル台構造を示す縦断面図
【図６】蛍光灯管ソケット支持部とサンプル台との関係を示す分解断面図
【図７】蛍光灯管ソケット支持部に対してサンプル台を取付けた状態を示す縦断面図
【図８】蛍光灯管ソケット支持部に対して係止ピンを支点としてサンプル台を前下がりの傾斜姿勢にした状態を示す縦断面図
【図９】蛍光灯管ソケット支持部の格納部に始動コンデンサーを内蔵した状態を示す縦断面図
【図１０】蛍光灯管ソケット支持部の格納部に始動コンデンサーを内蔵した状態を示す要部正断面図
【図１１】蛍光灯管ソケット支持部の格納部に始動コンデンサーを内蔵した状態を示す縦断面図
【図１２】本発明の別実施形態を示す蛍光灯管ソケット支持部の格納部に始動コンデンサーを内蔵した状態の要部正断面図
【図１３】従来のサンプル台支持構造と始動コンデンサーとの関係を示す縦断面図
【図１４】始動コンデンサーとクランプを示す斜視図
【符号の説明】
Ａ                自動販売機
ＪＡ              サンプル台構造
Ｋ                商品サンプル
Ｈ                保持手段
１１              蛍光灯管
１１ａ            端子部
２０              蛍光灯管ソケット支持部
２０ｄ            天井壁
２０ｆ            外端側壁
２０ｇ            内部補強隔壁
２０ｈ            電線支持部
４０              商品サンプル取付け部
７０              始動コンデンサー
７１              電線
７１ａ            電線湾曲部分
８０              格納部
８１              テーパー面
【図１】
2004152142.tif 000003
【図２】
2004152142.tif 000004
【図３】
2004152142.tif 000005
【図４】
2004152142.tif 000006
【図５】
2004152142.tif 000007
【図６】
2004152142.tif 000008
【図７】
2004152142.tif 000009
【図８】
2004152142.tif 000010
【図９】
2004152142.tif 000011
【図１０】
2004152142.tif 000012
【図１１】
2004152142.tif 000013
【図１２】
2004152142.tif 000014
【図１３】
2004152142.tif 000015
【図１４】
2004152142.tif 000016